(57)【要約】【課題】本発明の歯科用インプラントは、水平力により多くの注意を払っている。【解決手段】本発明によると、峡部を有する突起は、水平力支持側以外に配置することが勧められる。本発明の歯科用インプラントは、近位プレートの後方の骨構造を捕捉する。この歯科用インプラントは、近位プレートと結合すると、水平力に抵抗するための最大の骨構造を捕捉することができ、近位プレートは、必然的に多くの垂直力を回避する。その結果、本発明のインプラントは、上頬側（または舌側）における過負荷を回避する。したがって、骨が劣化する可能性が減少する。【選択図】図２ｅ
2008093426.tif 000002
【特許請求の範囲】
【請求項１】
歯科用インプラントであって、
第１部分と、第２部分と、水平方向と、垂直方向とを有する中心部分と、
前記中心部分の前記第１部分から前記垂直方向に沿って突出する少なくとも１つの近位プレートと、
前記中心部分の前記第２部分から前記水平方向に沿って突出する少なくとも１つのフィンと、
前記第１部分の非近位側に配置され、峡部を有する少なくとも１つの突起と
を備える歯科用インプラント。
【請求項２】
前記近位プレートが、前記第１部分の近位側に配置され、前記第１部分が、丸みのある突起と、峡部を有する突起とを有する、請求項１に記載の歯科用インプラント。
【請求項３】
前記歯科用インプラントが第１突起と、第２突起とを備え、前記第１突起が前記峡部および拡大部分を備え、前記拡大部分が前記峡部から延在し、前記第１突起が非水平力支持側に配置され、前記第２突起が水平力支持側に配置される、請求項２に記載の歯科用インプラント。
【請求項４】
前記第１部分が上部領域および下部領域を備え、前記第１突起および前記第２突起の上部領域が切除される、請求項３に記載の歯科用インプラント。
【請求項５】
前記下部領域上の前記拡大部分の形状が、前記歯科用インプラントの穴あけされた歯槽の形状に対応する、請求項４に記載の歯科用インプラント。
【請求項６】
前記近位プレートが少なくとも１つの位置決め近位プレートを備え、前記位置決め近位プレートが垂直部および下部を有し、前記位置決め近位プレートの前記下部が、前記フィンの外径の外側に延在する、請求項１に記載の歯科用インプラント。
【発明の詳細な説明】
【技術分野】
【０００１】
本発明は、歯科用インプラントに関し、特に、突起上に峡部を有する歯科用インプラントに関する。
【背景技術】
【０００２】
咬合力は、垂直力および水平力に分類することができる。インプラントの垂直力は、底部における圧縮力、および側部における剪断力である。水平力はインプラントの傾斜力であり、両端が、異なる方向に最も力が加わることを意味する。
【０００３】
近位側方向の水平力は、隣接する歯（またはインプラント）によって相互に支持されるため、このような力は歯槽骨にはそれほど有害ではない。歯科用インプラントは、咬合力に抵抗するために骨を捕捉する。したがって、インプラントが、咬合力のために十分な歯槽骨を捕捉し、しかも歯槽骨が破壊されるのを防止することは、歯科用インプラント構造の最も重要な問題である。
【０００４】
チタン製の歯科用インプラントの出現により、多くの歯科用インプラントは、天然の歯根の形状を残存させるようになった。しかし、実際問題として、天然歯およびインプラントの支持機序は同じではない。天然歯は靭帯によって懸垂されており、インプラントは、骨に「固定」されている。歯の歯根の形態を模倣することは無意味である。
【０００５】
図１を参照すると、従来の歯科用インプラント８０は、中心部分８１と、複数のフィン８３とを備える。中心部分８１は、テーパ付き形状の円筒である。歯科用インプラント８０の中心部分８１のテーパは、垂直力および水平力に抵抗する能力を減少させる。臨床上分かるとおり、歯槽骨の比較的深い部分は、常に、インプラントのための広い空間を有する。現代の多くのインプラントのもう１つの欠点は、ねじ山またはフィン８３である。ねじ山またはフィンは、中心部分８１からの基本的に水平な突出部である。このフィン（水平突出部）は、水平力に対しては、垂直力に対する備えに比べて備えられていない状態で骨を捕捉する。これは、上顎におけるインプラントの成功率が、常に下顎の成功率より低い理由の説明になる。上顎のインプラントは、下顎の場合にくらべて大きい水平力を受ける。下顎前方に比べて、上顎前方は、常に下部の対応物より大きいため、水平力に対処することは、より難しいことを意味する。
【０００６】
特許文献１は、多くの歯科医が最善のインプラントシステムの１つであると考える歯科用インプラントを開示しているが、やはり上記の欠点を有する。他のインプラントと同様、骨の入口部が最も脆弱である。従来の歯科用インプラントは、この問題に本格的に対処している。従来の歯科用インプラントは、その取扱説明書によると、歯槽頂より１ｍｍ〜２ｍｍ下にインプラントされる。その後、一部の骨が除去され、支台およびクラウンは従来の歯科用インプラントに接続される。しかし、臨床上見られるように、長い間には、骨は従来の歯科用インプラントのショルダーまで後退するであろう。インプラントの材料と支台ポストの材料とは同じだが、支台ポストは骨と一体化しない。おそらく、支台ポストの微細な回転が存在する。骨の中で骨と一体化しないポストは、好ましくない細菌の交通路である。場合によっては、骨が劣化し続け、インプラントの露出が避けられなかった。こうした露出は、多くの場合、水平力を支持する側に生じた。このような露出は、患者を当惑させ、歯科医にとっては厳しい試練になるであろう。
【０００７】
さらに、クラスＩの咬合は、失歯した場合、最終的にクラスＩＩＩの骨の関連性を有するという不可解な状態を生じる。しかし、水平力（咬合の）を考慮すると、その結果は意外ではない。殆どの水平力は、上顎の上頬側および下顎の上舌側に加わる。歯が失われると、力を支持する歯槽プレートは、力を支持しない反対側より速く消失する。水平力は、一定の方向を有する。
【０００８】
【特許文献１】米国特許第４，７３８，６２３号
【発明の開示】
【発明が解決しようとする課題】
【０００９】
本発明の歯科用インプラントを説明する前に、いくつかの専門用語を明確に定義しなければならない。「下」という用語は重力に関連せず、比較的深い骨組織における下を意味し、「上」という用語は、歯肉またはクラウンに対して骨組織が近位であることを意味する。「頬」は頬または顔を意味し、「舌」は舌または口蓋を意味する。「垂直」は、歯科用インプラントの長手方向軸に沿った方向を意味し、「水平」は、「垂直」に対して直角であることを意味する。「前方」は水平力支持側の方向であり、「後方」は水平力支持側ではない方向である。
【課題を解決するための手段】
【００１０】
本発明は、歯科用インプラントに関する。本発明の歯科用インプラントは、中心部分と、少なくとも１つの近位プレートと、少なくとも１つのフィンと、少なくとも１つの突起とを備える。中心部分は、第１部分と、第２部分と、水平方向と、垂直方向とを有する。近位プレートは、水平方向に沿った中心部分の第１部分から突出して、垂直方向に沿って延在する。フィンは、水平方向に沿った中心部分の第２部分から突出する。突起は、頬または舌上に配置され、突起の一方は峡部を有する。
【００１１】
本発明の歯科用インプラントは、他のシステムでは通常無視されている水平力に比較的多くの注意を払っている。本発明によると、峡部を有する突起は、水平力支持側ではない方向に配置されるように提案されているため、本発明の歯科用インプラントは、近位プレートの後方の骨構造を捕捉することが可能である。この歯科用インプラントは、近位プレートと結合すると、水平力に抵抗するための最大の骨構造を捕捉することができ、近位プレートは、必然的に多くの垂直力を回避する。その結果、本発明のインプラントは、上頬側（または舌側）における過負荷を回避する。
【発明の効果】
【００１２】
したがって、骨の劣化の可能性が減少する。
【発明を実施するための最良の形態】
【００１３】
図２ａ、２ｂ、２ｃ、２ｄ、２ｅ、２ｆおよび２ｇを参照すると、これらの図は、本発明の第１実施態様による歯科用インプラントを示す。垂直力より大きい水平力を受ける（咬合により）歯科用インプラント２は、タイプＡインプラントと呼ばれる。一般に、タイプＡインプラントは、上顎前部用である。図３ａ、３ｂ、３ｃ、３ｄ、３ｅおよび３ｆを参照すると、これらの図は、本発明の第２実施態様による歯科用インプラントを示す。より多くの垂直力を受ける歯科用インプラント３は、タイプＢインプラントと呼ばれる。
【００１４】
本発明の歯科用インプラントは、一般に円筒状で、テーパが付いていないインプラントであり、後に、補綴用の支台を接続するようになっている。本発明の歯科用インプラントは、骨槽中に打ち込まれるか、または叩き入れられると考えられる。
【００１５】
再度図２ａ〜２ｇを参照すると、歯科用インプラント２は、中心部分６０と、少なくとも１つの上部近位プレート１１と、少なくとも１つのフィン２０と、少なくとも１つの下部プレート３０と、少なくとも１つの突起１２１および１２２とを備える。突起１２１は峡部を有し、突起１２２は丸みのある突起である。中心部分６０は、第１部分６１と、第２部分６２と、第３部分６３と、水平方向と、垂直方向とを有する。この実施態様では、中心部分６０は円筒状であり、テーパは付いていない。
【００１６】
中心部分６０は、第１部分６１上に配置されたネック１０をさらに備える。ネック１０の高さは、約０．５ｍｍ〜３．０ｍｍである。ネック１０は、ある程度の丸みのある縁部１０１を有し、縁部１０１は、歯科用インプラントの長手方向軸に対して内側および上方を向いている。ネック１０は、機械的に可能であれば、できるだけ狭いほうが良い。このような構造の場合、ネック１０はリム１０２を有し、ネック１０上のリム１０２は狭い。頬側方向のリム１０２は、頬側歯肉の屈曲をシミュレートするようにトリミングされる。トリミングされたリム１０２は近位側から開始して下方に頬側に向かい、好ましくは凹状である。トリミングされたリム１０２によって、外科医は、インプラントを骨の中に深く埋め込まずに済み、頬側の歯科用インプラントが露出することを気にする必要がない。また、トリミングされたリム１０２は、非対称に再吸収される隆起に適合することが好ましい。トリミングされたリム１０２の深さは、０．５ｍｍ〜２ｍｍである。
【００１７】
ネック１０に続いて、上部近位プレート１１および頬側および舌側突起が存在する。上部近位プレート１１は、中心部分６０の第１部分６１から水平方向に沿って突出し、垂直方向に延在する。この実施態様では、複数の上部近位プレートが中心部分６０の第１部分６１上に取り付けられる。上部近位プレート１１は、上縁が広範囲にわたって切除され、切除上縁１１１を形成することが好ましい。
【００１８】
上部近位プレート１１は第１部分６１の近位側に配置され、第１部分６１は、頬側の丸みのある突起、および峡部を有する舌側の突起を有する。
【００１９】
図２ｅおよび２ｆを参照すると、この実施態様では、歯科用インプラント２は、第１突起１２１および第２突起１２２を備え、第１突起１２１第２突起１２２は、それぞれ第１部分６１の舌側および頬側に配置される。第１突起１２１は、峡部１２５および拡大部分１２６を有する。拡大部分１２６は、峡部１２５から延在する。第１突起１２１は非水平力支持側に配置され、第２の丸みのある突起１２２は水平力支持側に配置される。非水平力支持側は、上顎のほぼ舌側であるか、または下顎のほぼ頬側である。
【００２０】
第１部分６１は、上部領域および下部領域を有する。図２ｅは、歯科用インプラント２の第１部分６１の上部領域の断面図を示し、図２ｆは、歯科用インプラント２の第１部分６１の下部領域の断面図を示す。第１突起１２１および第２突起１２２は、上部領域が切除されている（図２ｃおよび２ｅ）。したがって、上部領域（図２ｅ）上の第１突起１２１は下部領域（図２ｆ）上の第１突起１２１より小さく、上部領域（図２ｅ）上の第２突起１２２は下部領域（図２ｆ）上の第２突起１２２より小さい。下部領域上の拡大部分１２６の形状は、歯科用インプラント２の穴あけされた槽の形状に対応する。
【００２１】
本発明によると、峡部を有する突起は、非水平力支持側方向に配置することが勧められる。本発明の歯科用インプラントは、近位プレートの後方の骨構造を捕捉することが可能である。この歯科用インプラントは、近位プレートと結合すると、水平力に抵抗するための最大の骨構造を捕捉することができ、その結果、プレートおよび突起は、必然的に多くの垂直力を回避する。したがって、上部部分は過度の咬合力を支持しないため、骨が劣化する可能性は減少する。殆どの垂直力は、比較的深く安全な領域に伝達される。
【００２２】
上部近位プレートを含む第１部分６１の長さは、中心部分６０の全体の長さの約１／４〜２／５である。水平力は、中心部分の中間部分で最も少なく感じられるため、プレートは、中心部分の中間部分では現れない。
【００２３】
近位プレートは、少なくとも１つの位置決め近位プレート１１２を備える。位置決め近位プレート１１２は、垂直部１１７および下部１１８を有する。位置決め近位プレート１１２の垂直部１１７の幅は、近位プレート１１の幅に等しい。位置決め近位プレート１１２の下部１１８は、フィン２０の外径の外側に延在する。したがって、位置決め近位プレート１１２の下部１１８の幅は、その他の近位プレート１１の幅より大きい。この実施態様では、歯科用インプラント２を位置決めするために、近位側に２つの位置決め近位プレート１１２が配置される。位置決め近位プレート１１２は、外科処置後、歯科用インプラントを骨の中に正しい方向で保持するように設計されている。下部１１８の下縁および側縁は鋭利であり、下部１１８の上縁は鈍い。位置決め近位プレート１２の下部１１８は、好ましくは、下縁が切除されて切除下縁を形成し、下部の切除下縁は鋭利である。位置決めプレート１１２の鋭利な縁部は、インプラントの挿入を容易にし、鈍い縁部はインプラントが剥離する可能性を少なくする。
【００２４】
さらに、近位プレートは、少なくとも１つの引張り近位プレート１１２を備える。この実施態様では、位置決め近位プレートは引張り近位プレートである。引張り近位プレート１１２の長さは、その他の近位プレートより長い。引張り近位プレート１１２は、外科処置時の挿入深さが望ましくない場合に、歯科用インプラント２を引っ張るための引張りデバイスを収容する。さらに、引張り近位プレートは、歯科用インプラントを引っ張るための引張りデバイスを収容するための引張り溝を有する場合がある。
【００２５】
近位プレート１１は、少なくとも１つの垂直近位プレート１１３を備える。この実施態様では、垂直近位プレート１１３の長さは、引張り近位プレート１１２より短く、垂直近位プレート１１３の幅は、位置決め近位プレート１１２の下部１１８の幅より小さい。つまり、垂直近位プレート１１３の幅は、フィン２０の外径に等しい。
【００２６】
位置決め近位プレート１１は、少なくとも１つの小型近位プレート１１４を備える。小型近位プレート１１４は、常に丸みのある突起に隣接する。この実施態様では、小型近位プレート１１４の長さは、垂直近位プレート１１３の長さより短く、小型近位プレート１１４の幅は、垂直近位プレート１１３の幅より小さい。
【００２７】
したがって、近位プレート１１の長さは、引張り近位プレート１１２から近位プレート１１４に向かって徐々に短くなり、近位プレート１１の幅は、位置決め近位プレート１１２の下部１１８から小型近位プレート１１４に向かって徐々に小さくなる。
【００２８】
プレート１１に隣接して、フィン２０は、中心部分６０の第２部分６２から水平方向に沿って突出する。この実施態様では、複数のフィンは、中心部分６０の第２部分６２の外周部上に環状に取り付けられる。フィン２０には、テーパが付いていない。フィンを有する第２部分６２の長さは、中心部分６０の長さの約１／５〜１／２である。
【００２９】
下部プレート３０は、中心部分６０の第３部分６３上に配置される。下部プレートを有する第３部分６３の長さは、中心部分６０の全長の約１／４〜２／５である。下部プレートの突出角度は、中心部分６０の接線に対して垂直であることが勧められる。下部プレート３０は、切除下縁３０１を有する。中心部分６０の底部３１付近では、プレート３０の縁部は、骨槽に適合するように、つまりドリルの形状に適合するように切除される。
【００３０】
中心部分６０は、底部３１および窪み１３をさらに有する。底部３１は、平坦である。窪み１３は支台に接続され、中心部分６０の上部に開口部を有する。
【００３１】
図３ａ、３ｂ、３ｃ、３ｄ、３ｅおよび３ｆを参照すると、歯科用インプラント３は、中心部分７０と、少なくとも１つの近位プレート４１と、少なくとも１つのフィン５０と、少なくとも１つの突起４２１、４２２とを備える。中心部分７０は、第１部分７１と、第２部分７２と、水平方向と、垂直方向とを有する。中心部分７０は、第１部分７１上に配置されたネック４０をさらに備える。第２実施態様のネック４０は、第１実施態様のネック４０に類似している。しかし、この場合、ネック４０は比較的短い。ネック４０は、リム４０１を備える。リム４０１は平坦であるか、またはそれ程トリミングされていない。
【００３２】
近位プレート４１は、中心部分７０の第１部分７１から水平方向に沿って突出し、垂直方向に延在する。近位プレート４１、および頬側および舌側の突起４２１、４２２も、第１実施態様の上記の説明に類似している。第１突起４２１は、峡部４２５および拡大部分４２６を備える。第１突起４２１および第２突起４２２は、上部領域が切除されている（図３ｃおよび３ｅ）。したがって、上部領域上の第１突起４２１（図３ｅ）は、下部領域上の第１突起４２１（図３ｆ）より小さく、上部領域上の第２突起４２２（図３ｅ）は、下部領域上の第２突起４２２（図３ｆ）より小さい。しかし、この比率は異なる。近位プレート４１を有する第１部分７１の長さは、中心部分７０の全長の約１／６〜２／５である。位置決め近位プレートおよび引張り近位プレート４１２は、第１実施態様の上記の説明に類似している。
【００３３】
フィン５０は、中心部分７０の第２部分７２から水平方向に沿って突出する。中心部分７０は、底部５１および窪み４３をさらに備える。フィン５０は、その直径が収縮しない状態で底部５１方向に下がる。底部５１は凹状である。底部の骨は、多くの圧縮力を収容する。凹状の底部５１は、力を分散させる。これは、短い歯科用インプラントが大きい直径を有する場合は特に重要である。比較的深い任意の長さが不可欠である場合、骨槽の底部を賦形するように特に設計されたドリルが必要である。
【００３４】
本発明の実施態様について図示し、説明してきたが、当業者は、様々な変形および改善を行うことが可能である。したがって、本発明の実施態様は、具体的に示すために記載されているのであり、制限する意図はない。本発明は、図示の特定の形態に限定されず、本発明の精神および範囲を維持するすべての変更は、添付の請求の範囲に定義する範囲内に含まれることを意図する。
【図面の簡単な説明】
【００３５】
【図１】治癒後の先行技術による従来の歯科用インプラントである。
【図２ａ】本発明の第１実施態様による歯科用インプラントの近位側立面図である。
【図２ｂ】本発明の第１実施態様による歯科用インプラントの頬側立面図である。
【図２ｃ】本発明の第１実施態様による歯科用インプラントの下向き斜視図である。
【図２ｄ】本発明の第１実施態様による歯科用インプラントの上向き斜視図である。
【図２ｅ】本発明の第１実施態様による歯科用インプラントの図２ａの線２ｅを通る断面図である。
【図２ｆ】本発明の第１実施態様による歯科用インプラントの図２ａの線２ｆを通る断面図である。
【図２ｇ】治癒後の本発明の第１実施態様による歯科用インプラントを示す。
【図３ａ】本発明の第２実施態様による歯科用インプラントの近位側立面図である。
【図３ｂ】本発明の第２実施態様による歯科用インプラントの頬側立面図である。
【図３ｃ】本発明の第２実施態様による歯科用インプラントの下向き斜視図である。
【図３ｄ】本発明の第２実施態様による歯科用インプラントの上向き斜視図である。
【図３ｅ】本発明の第２実施態様による歯科用インプラントの図３ａの線３ｅを通る断面図である。
【図３ｆ】本発明の第２実施態様による歯科用インプラントの図３ａによる線３ｆを通る断面図である。
【符号の説明】
【００３６】
２  歯科用インプラント
２ｅ  線
２ｆ  線
３  歯科用インプラント
３ｅ  線
３ｆ  線
１０  ネック
１１  上部近位プレート、近位プレート、プレート
１２  近位プレート
２０  フィン
３０  下部プレート、プレート
３１  底部
４０  ネック
４１  近位プレート
５０  フィン
５１  底部
６０  中心部分
６１  第１部分
６２  第２部分
６３  第３部分
７０  中心部分
７１  第１部分
７２  第２部分
８０  歯科用インプラント
８１  中心部分
８３  フィン
１０１  縁部
１０２  リム
１１１  切除上縁
１１２  位置決め近位プレート、引張り近位プレート
１１３  垂直近位プレート
１１４  小型近位プレート、近位プレート
１１７  垂直部
１１８  下部
１２１  突起
１２２  突起
１２５  峡部
１２６  拡大部分
３０１  切除下縁
４０１  リム
４１２  引張り近位プレート
４２１  突起
４２２  突起
４２５  峡部
４２６  拡大部分Ａ
【図１】
2008093426.tif 000003
【図２ａ】
2008093426.tif 000004
【図２ｂ】
2008093426.tif 000005
【図２ｃ】
2008093426.tif 000006
【図２ｄ】
2008093426.tif 000007
【図２ｅ】
2008093426.tif 000008
【図２ｆ】
2008093426.tif 000009
【図２ｇ】
2008093426.tif 000010
【図３ａ】
2008093426.tif 000011
【図３ｂ】
2008093426.tif 000012
【図３ｃ】
2008093426.tif 000013
【図３ｄ】
2008093426.tif 000014
【図３ｅ】
2008093426.tif 000015
【図３ｆ】
2008093426.tif 000016
【外国語明細書】
2008093426000001.pdf